【手続補正書】
【提出日】平成28年6月29日(2016.6.29)
【手続補正１】
【補正対象書類名】特許請求の範囲
【補正対象項目名】全文
【補正方法】変更
【補正の内容】
【特許請求の範囲】
【請求項１】
衝撃波カテーテルシステムであって、前記システムは、
カテーテルであって、前記カテーテルは、細長いキャリアと、前記キャリアに対して密閉された関係で前記キャリアの周囲にあるバルーンであって、前記バルーンは、前記バルーンを膨張させる流体を前記バルーンの中に受け取るように配置される、バルーンと、前記バルーン内に少なくとも２つの電極を含むアーク発生器とを有する、カテーテルと、
電源であって、前記電源は、前記少なくとも２つの電極のうちの１つにおいて気泡を成長させる第１の電圧を前記少なくとも２つの電極にわたって送達し、次いで、その後、前記少なくとも２つの電極にわたって第２の電圧を送達することにより、前記少なくとも２つの電極にわたってアークを生成し、かつ、前記気泡を急速に拡張して前記バルーン内に衝撃波を形成する、電源と
を備える、システム。
【請求項２】
前記第２の電圧は、前記第１の電圧よりも有意に大きい、請求項１に記載の衝撃波カテーテルシステム。
【請求項３】
前記第１の電圧は、約５０ボルトであり、前記第２の電圧は、３００〜１０，０００ボルトである、請求項２に記載の衝撃波カテーテルシステム。
【請求項４】
前記電源は、第１の期間にわたって前記第１の電圧を保持するように、かつ、第２の期間にわたって前記第２の電圧を保持するように構成され、前記第１の期間は、前記第２の期間よりも長さが有意に長い、請求項１に記載の衝撃波カテーテルシステム。
【請求項５】
前記第１の期間は、約２ミリ秒であり、前記第２の期間は、約２分の１マイクロ秒である、請求項４に記載の衝撃波カテーテルシステム。
【請求項６】
前記バルーンは、血管形成術バルーンである、請求項１に記載の衝撃波カテーテルシステム。
【請求項７】
流体内に電気水圧衝撃波を生成するためのシステムであって、前記システムは、
前記流体内に位置する一対の電極と、
第１の期間中に流体内に気泡を成長させるために、前記一対の電極にわたって第１の電圧を印加するための手段と
を備え、
その後、第１の電圧を印加するための前記手段は、第２の期間中に前記気泡を急速に拡張するために、前記一対の電極にわたって第２の電圧を印加し、前記第２の電圧は、前記第１の電圧よりも大きい、システム。
【請求項８】
前記第１の期間は、前記第２の期間よりも長い、請求項７に記載のシステム。
【請求項９】
前記第２の電圧は、３００〜１０，０００ボルトである、請求項７に記載のシステム。
【請求項１０】
前記第１の期間は、約２ミリ秒であり、前記第２の期間は、約２分の１マイクロ秒である、請求項７に記載のシステム。
【手続補正２】
【補正対象書類名】明細書
【補正対象項目名】００１７
【補正方法】変更
【補正の内容】
【００１７】
拡張するステップは、第２の期間中に第２の電圧を少なくとも２つの電極に送達することを含み得る。第２の電圧は、第１の電圧よりも大きくあり得、第１の期間は、第２の期間よりも長くあり得る。第２の電圧は、３００〜１０，０００ボルトであり得る。第１の期間は、約２ミリ秒であり得、第２の期間は、約２分の１マイクロ秒であり得る。
本願明細書は、例えば、以下の項目も提供する。
（項目１）
衝撃波カテーテルシステムであって、前記システムは、
カテーテルであって、前記カテーテルは、細長いキャリアと、前記キャリアに対して密閉された関係で前記キャリアの周囲にあるバルーンであって、前記バルーンは、前記バルーンを膨張させる流体を前記バルーンの中に受け取るように配置される、バルーンと、前記バルーン内に少なくとも２つの電極を含むアーク発生器とを有する、カテーテルと、
電源であって、前記電源は、前記少なくとも２つの電極のうちの１つにおいて気泡を成長させる第１の電圧を前記少なくとも２つの電極にわたって送達し、次いで、その後、前記少なくとも２つの電極にわたって第２の電圧を送達することにより、前記少なくとも２つの電極にわたってアークを生成し、かつ、前記気泡を急速に拡張して前記バルーン内に衝撃波を形成する、電源と
を備える、システム。
（項目２）
前記第２の電圧は、前記第１の電圧よりも有意に大きい、項目１に記載の衝撃波カテーテルシステム。
（項目３）
前記第１の電圧は、約５０ボルトであり、前記第２の電圧は、３００〜１０，０００ボルトである、項目２に記載の衝撃波カテーテルシステム。
（項目４）
前記電源は、第１の期間にわたって前記第１の電圧を保持するように、かつ、第２の期間にわたって前記第２の電圧を保持するように構成され、前記第１の期間は、前記第２の期間よりも長さが有意に長い、項目１に記載の衝撃波カテーテルシステム。
（項目５）
前記第１の期間は、約２ミリ秒であり、前記第２の期間は、約２分の１マイクロ秒である、項目４に記載の衝撃波カテーテルシステム。
（項目６）
前記バルーンは、血管形成術バルーンである、項目１に記載の衝撃波カテーテルシステム。
（項目７）
衝撃波カテーテルシステムであって、前記システムは、
カテーテルであって、前記カテーテルは、細長いキャリアと、前記キャリアに対して密閉された関係で前記キャリアの周囲にあるバルーンであって、前記バルーンは、前記バルーンを膨張させる流体を前記バルーンの中に受け取るように配置される、バルーンと、前記バルーン内に少なくとも２つの電極を含むアーク発生器とを有する、カテーテルと、
前記少なくとも２つの電極に結合された電源であって、前記電源は、前記少なくとも２つの電極のうちの１つにおいて気泡を成長させ、次いで、その後、前記気泡を急速に拡張することにより前記バルーン内に衝撃波を形成するように構成される、電源と
を備える、システム。
（項目８）
前記電源は、第１の期間中に前記気泡を成長させるように、かつ、第２の期間中に前記気泡を拡張するように配置され、前記第１の期間は、前記第２の期間よりも長い、項目７に記載の衝撃波カテーテルシステム。
（項目９）
前記電源は、前記第１の期間中に第１の電圧を前記アーク発生器に送達することにより前記気泡を成長させるように、かつ、前記第２の期間中に第２の電圧を前記アーク発生器に送達することにより前記気泡を急速に拡張するように配置される、項目８に記載の衝撃波カテーテルシステム。
（項目１０）
前記第２の電圧は、前記第１の電圧よりも規模が大きい、項目９に記載の衝撃波カテーテルシステム。
（項目１１）
電気水圧衝撃波を生成する方法であって、前記方法は、
第１の期間中に流体内に気泡を成長させることと、
その後、第２の期間中に前記気泡を急速に拡張することと
を含む、方法。
（項目１２）
前記成長させるステップは、前記流体内に少なくとも２つの電極を提供することと、第１の期間中に第１の電圧を前記少なくとも２つの電極に送達することとを含む、項目１１に記載の方法。
（項目１３）
前記拡張するステップは、第２の期間中に第２の電圧を前記少なくとも２つの電極に送達することを含む、項目１２に記載の方法。
（項目１４）
前記第２の電圧は、前記第１の電圧よりも大きく、前記第１の期間は、前記第２の期間よりも長い、項目１３に記載の方法。
（項目１５）
前記第２の電圧は、３００〜１０，０００ボルトである、項目１４に記載の方法。
（項目１６）
前記第１の期間は、約２ミリ秒であり、前記第２の期間は、約２分の１マイクロ秒である、項目１４に記載の方法。